(57)【要約】  本発明は、光による美容処理のためのデバイスに関し、  少なくとも1つの発光源(10)と、  前記発光源に対して固定される基準面(5)と、  基準面(5)と肌の美容処理領域(30)との間の距離を測定するための少なくとも1つの距離センサ(20)と、  各発光源(10)の発光パワーを制御するのに適したマイクロコントローラ(3)とを備え、各発光源の発光パワーは、距離センサによって測定される距離(DIST)に従属する。
2015536179.tif 000002
【特許請求の範囲】
【請求項１】
光による美容処理のためのデバイスであって、
少なくとも1つの発光源(10)と、
前記発光源に対して固定される基準面(5)と、
前記基準面(5)と肌の美容処理領域(30)との間の距離(DIST)を測定するための少なくとも1つの距離センサ(20)と、
各発光源(10)の発光パワーを制御するのに適したマイクロコントローラ(3)と
を備え、各発光源(10)の前記発光パワーが、前記距離センサによって測定される前記距離(DIST)に従属する
デバイス。
【請求項２】
複数の発光源(10)と、第1の波長(λ1)で発光する発光源の少なくとも1つの第1の群と、第2の波長(λ2)で発光する発光源の少なくとも1つの第2の群とを備える、請求項1に記載のデバイス。
【請求項３】
前記デバイスの本体(1)に散在する複数の距離センサ(20)を備える、請求項1または2のいずれか一項に記載のデバイス。
【請求項４】
電子ユニット(3)は、前記距離センサ(20)によって測定される距離(d)が、第1の閾値(S1)よりも小さいとき、若しくは第2の閾値(S2)よりも大きいとき、又はその両方であるときに、各発光源の発光を中断させるのに適している、請求項1〜3のいずれか一項に記載のデバイス。
【請求項５】
少なくとも1つの発光源の発光が中断されると起動する感覚情報要素をさらに備える、請求項4に記載のデバイス。
【請求項６】
前記距離センサ(20)が、前記デバイスを動作させるためのプログラムを制御するための触覚ボタン(21)を構成する、請求項1〜5のいずれか一項に記載のデバイス。
【請求項７】
前記デバイスの各発光源(10)が電子カード(5)上に表面実装される、請求項1〜6のいずれか一項に記載のデバイス。
【請求項８】
本体(1)と、請求項1〜7のいずれか一項に記載の美容処理のデバイスとを備える光による美容処理のための装置。
【請求項９】
前記デバイスが前記装置の前記本体(1)内に収納される、請求項8に記載の装置。
【請求項１０】
前記デバイスが、前記本体(1)上に可逆的な方法で取り付けられるのに適したノズル(7)を構成する、請求項8に記載の装置。
【請求項１１】
前記デバイスが、前記本体(1)の支持体内に配置されるインサート(8)を構成する、請求項8に記載の装置。
【請求項１２】
化粧品組成物の容器と、
請求項8〜11のいずれか一項に記載の美容処理の装置と
を備えるアセンブリ。
【請求項１３】
前記化粧品組成物が、油性肌のためのケア製品、若しくはアンチエイジングのケア製品、またはその両方の中から選択される、請求項12に記載のアセンブリ。
【請求項１４】
請求項1〜7のいずれか一項に記載のデバイスの実行を含む美容方法。
【請求項１５】
少なくとも前記デバイスの光放射にさらされる肌の領域上に化粧品組成物を塗布するステップを含む、請求項14に記載の美容方法。
【発明の詳細な説明】
【技術分野】
【０００１】
本発明は、特に肌のある領域を光にさらすことによる、すなわち非処理的な、肌の美容処理(cosmetic treatment)のためのデバイスに関する。本発明は、そのようなデバイスを備える装置、およびそのような装置の使用を含む美容方法にも関する。
【背景技術】
【０００２】
光処理による肌の皮膚科的処理のための装置が存在する。たとえば、文書US-A-7 887 533は、特に医師による専門家の使用のためのそのような装置を記載する。この装置は、列に配置され、円柱レンズと結合された発光ダイオード(LED)をアセンブルするためのシステムを備える。レンズは、より大きいまたはより小さい柔軟性を有するLEDの各光線の放射角を調整することを可能にする。文書WO-A-2012/086991は、様々な病理学を扱うために、同時にいくつかの波長を使用する装置を記載する。
【０００３】
また、個人的な使用のための、光にさらすことによる肌の美容処理のための装置が存在する。ユーザは、装置を手に持ち、装置に配置されるLEDから発光される光放射に肌の所与の領域をさらすように装置を配向する。たとえば、文書FR-A-2 917 299、US-A-2010/274329、またはWO-A-2008/057640に記載されているデバイスを挙げることができる。既知の装置は、一般的に、ケーシングに配設されている1つまたは複数のLEDを備える。処理の均質性を保証するように、LEDの数はしばしば多く、LEDの発光波長は、想定される用途に従って選択される。たとえば、文書EP-A-1 648 385は、ソースごとに制御されたパワーで、黄色い光を発する少なくとも1つの第1のソース(約590ナノメートルの主波長を有する)、および赤外線を発する少なくとも1つの第2のソース(約850ナノメートルの主波長を有する)を使用することを提案する。
【０００４】
光による肌の美容処理のためのデバイスは、(mW/cm2で表される)処理される表面上の光の放射の強度を制御するための手段を想定しなければならない。光の強度は、有効な処理のための最小の値と、露光が大きすぎることによって引き起こされる任意の損傷を回避するように最大値との間になければならない。この制約は、安全基準がより高い、個人的な使用(「ホームデバイス」と呼ばれる)のための装置において、さらに厳しい。
【０００５】
一方では、肌に対する所望の効果をもたらし、他方では、強度が強すぎることによって引き起こされる損傷を回避するように、光の最適な強度を確保するために、発光源と処理表面との間の距離を制御することが求められる。
【０００６】
図1は、様々なタイプの発光ダイオード15、16がスクリーン2を介して光線17、18を放射する、光にさらされる肌の領域30において得られた放射線分布を概略的に示す。たとえば、いわゆる「従来の」LED15は、15度〜20度程度の比較的小さい開口角で光線17を発する。それにもかかわらず、処理される肌の領域30の全体を均質にカバーするために、そのようなLED15が複数存在しなければならない。一方、いわゆる「パワー」LED16(ハイパワーLEDまたはHPLED)は、120度〜140度程度の比較的大きい開口角で、すなわち、衝突角度に換算して60度〜70度程度で光線18を発する。従来のLEDと比較すると、パワーLEDは、効率、寿命、およびコンパクトさに関して有効である。
【０００７】
図1は、光にさらされる肌の表面30が、デバイスと処理される領域との間の距離Δdに伴って増加するが、その強度(mW/cm2で測定される)が均質である部分は減少することを示す。実際、LEDから放射される光線17、18は、照らされる表面に比例して減少する照らされる領域30の全体の上に点状の放射パワーを呈する。従来のLEDの場合、距離の変化が同じ場合、衝突角度が小さくなるにつれて、光度が均質である表面はほとんど減らず、その値はより安定しているが、HPLEDの場合、開口角が大きいために、光度が均質である表面は大幅に減り、その値はより小さくなる。こういうわけで、処理距離は、有効な処理のために、より厳密でなければならない。
【０００８】
多数の商品は、強度が強すぎることを回避するための手段を提供しているが、有効な処理のための最小しきい値に対する関心をほとんど示さない。一般に、使用説明では、人がある距離離れて立つことを指示するが、通常、どんな制御手順も存在しない。
【０００９】
いくつかの商品は、機械式アバットメント、たとえばLIPZOR(商標)、またはBIOLUX(商標)のLuxeを提供する。この解決策は、実施しやすいが、直接的な肌へのアバットメントの接触を強いるため、衛生上の問題を引き起こす。さらに、デバイスが、処理される表面上で移動しなければならない場合、そのような使用は、肌上での摩擦のために、実際的でない。
【００１０】
光源と処理される表面との間の安全距離は、デバイス自体に統合され得、それによってデバイスの厚みを増加させる。たとえば、文書KR-A-10-1103327は、光源と処理される表面との間の十分な距離を確実にするように、使用時に展開するコンパクトなデバイスを記載する。そのようなデバイスは、複雑で高価である。
【００１１】
上述の文書US-A-7 887 533は、処理前の調整を可能にするために、距離センサを備える。処理の間、デバイスは静止していなければならず、さもなければ、調整は無駄になる。そのような解決策は、専門の医療用のための装置には適しているが、個人的な美容の使用には適していない。
【先行技術文献】
【特許文献】
【００１２】
【特許文献１】米国特許第7 887 533号明細書
【特許文献２】国際公開第2012/086991号
【特許文献３】仏国特許出願公開第2 917 299号明細書
【特許文献４】米国特許出願公開第2010/274329号明細書
【特許文献５】国際公開第2008/057640号
【特許文献６】欧州特許出願公開第1 648 385号明細書
【特許文献７】韓国登録特許第10-1103327号公報
【発明の概要】
【発明が解決しようとする課題】
【００１３】
したがって、処理される領域上の光の最適な強度を確実にすることを可能にする、コンパクトで安価である、光による美容処理のためのデバイスが必要である。
【課題を解決するための手段】
【００１４】
このために、本発明は、デバイスにおける距離センサを提供し、各発光源の発光パワーをセンサによって測定される距離に従属させる（slave）ことを提案する。従属とは、センサによって測定される距離に応じた各発光源の発光パワーの増加または減少を意味するものとする。発光源による発光パワーのこの連続した、およびリアルタイムの従属は、露光にわたって処理される肌の領域上の光度の均質性を保証することを可能にする。発光パワーの強度のこの漸進的な従属は、発光源による発光パワーを抑制し、起動させる機能と相補関係にある。
【００１５】
より詳細には、本発明は、光による肌の美容処理のためのデバイスを提案し、このデバイスは、
・少なくとも1つの発光源と、
・前記発光源に対して固定される基準面と、
・基準面と肌の美容処理領域との間の距離を測定するための少なくとも1つの距離センサと、
・各発光源の発光パワーを制御するのに適したマイクロコントローラと
を備え、各発光源の発光パワーは、距離センサによって測定される距離(DIST)に従属する。
【００１６】
より詳細には、マイクロコントローラは、センサによって測定される距離(DIST)に応じて、後者を増減することによって、各発光源の発光パワーを制御する。
【００１７】
一実施形態によれば、本発明によるデバイスは、複数の発光源と、第1の波長で発光する発光源の少なくとも1つの第1の群と、第2の波長で発光する発光源の少なくとも1つの第2の群とを備える。
【００１８】
一実施形態によれば、本発明によるデバイスは、デバイスの本体に散在する複数の距離センサを備える。
【００１９】
一実施形態によれば、デバイスの電子ユニットは、距離センサによって測定される距離が、第1の閾値よりも小さいとき、若しくは第2の閾値よりも大きいとき、又はその両方であるときに、各発光源の発光を中断させるのに適しており、たとえば、少なくとも1つの発光源の発光が中断されるとき、感覚情報要素(sensory information element)が起動し得る。
【００２０】
一実施形態によれば、距離センサは、デバイスを動作させるためのプログラムを制御するための触覚ボタン(tactile button)を構成する。
【００２１】
一実施形態によれば、デバイスの各発光源が電子カード上に表面実装される。
【００２２】
本発明によるデバイスは、約+/-10%のこのスパンで処理領域に適用される光度の均質性を制御することを可能にする。
【００２３】
本発明は、美容処理のための装置にも関し、この装置は、本体と、本発明による光による美容処理のためのデバイスとを備える。そのような装置は、様々な用途の観点で様々な形を呈することができる。たとえば、光による美容処理のためのデバイスは、装置の本体上に可逆的な方法で取り付けられるのに適したノズルであることができ、または、デバイスは、装置の本体上に配置されるインサートを構成することができ、そうでなければ、デバイス装置の本体内に収納され得る。
【００２４】
本発明の主題は、ポット、ボトル、チューブなど、化粧品組成物の容器、および本発明による、光による美容処理のための装置を備えるアセンブリまたはキットでもある。そのようなキットの化粧品組成物は、油性肌のためのケア製品、若しくはアンチエイジングのケア製品、またはその両方の中から選択され得る。
【００２５】
本発明の主題は、さらに、本発明による、光による美容処理のためのデバイスの実装を含む美容方法である。有利なことに、美容方法は、少なくとも本発明によるデバイスの光放射にさらされる肌の領域上に化粧品組成物を塗布するステップを含む。
【００２６】
本発明の他の特徴および利点は、非限定的な実施形態を参照して与えられ、添付の図面によって示される、以下の詳細な説明を読むことで浮かび上がる。
【図面の簡単な説明】
【００２７】
【図１】すでに説明されており、様々なタイプの発光ダイオードで得られた放射分布を概略的に示す図である。
【図２】本発明の一実施形態による、デバイスの詳細を示す図である。
【図３】本発明による、デバイスにおいて使用される電子カードの概略図である。
【図４】本発明による、デバイスのマイクロコントローラによって実施されるプログラムのフローチャートを示す図である。
【図５】本発明による、美容処理のための第1の例示的な装置の分解図である。
【図６】図5の装置を示す図である。
【図７】本発明による、美容処理のための第2の例示的な装置を示す図である。
【図８】本発明による、美容処理のための第3の例示的な装置を示す図である。
【発明を実施するための形態】
【００２８】
添付の図は、単に例として、また、本発明の理解を容易にするために提供されている。すべての図が一定の比率で表されるとは限らず、また、記載されているデバイスおよび装置の特定の要素が図に表されていない場合がある。
【００２９】
本発明は、光による美容処理のためのデバイスに関する。本発明のデバイスは、少なくとも1つの発光源(以下、LEDと呼ぶ)と、前記LEDに対して固定された基準面とを備え、たとえば、基準面は、デバイスのスクリーン、または前記LEDが配置される電子カードとすることができる。各LEDは、所与のパワーおよび所与の開口角で光線を放射し、この光線は、処理される肌の領域の方に伝えられる。処理の効果、および処理される肌の領域上の放射の均質性の問題は、特に領域の周辺で起こる。このために、本発明によるデバイスは、測定された距離に対するLEDの発光パワーの従属を可能にするために、基準面と処理される肌の領域との間の距離を測定するための距離センサをさらに備える。
【００３０】
図2は、本発明の一実施形態による、デバイスの詳細を示す。図2は、処理される肌の領域30の方にスクリーン2を介して光線12を放射するLED10を表す。図2は、LEDが配置される電子カード5、および電子カード5上に配置される距離センサ20も示す。電子カード5は、センサ20によって測定されるデータを受信し、LED10の動作を制御するマイクロコントローラ3も備える。特に、マイクロコントローラは、LED10のオン、オフ、ならびにユーザによってあらかじめ定義され得る、またはプログラムされ得るプログラムに従って、発光のそのモード(パルス化、または連続した光)を制御する。マイクロコントローラ3は、LEDの発光パワーも制御する。特に、本発明によれば、マイクロコントローラは、距離センサ20によって提供される測定値に応じて、LEDの発光パワーを制御する。
【００３１】
「マイクロコントローラ」という表現は、たとえば、マイクロプロセッサチップなど、単一の電子デバイスを意味する、または、たとえば、機器(たとえばPC、PDAなど)のサードパーティの商品による管理を可能にする通信ゲートウェイなど、プログラム可能な電子要素のアセンブリを意味するためのものであることを理解されたい。
【００３２】
LED10は、HPLEDまたはいわゆる従来のLEDとすることができ、LEDは、単色(すなわち、その発光スペクトルは、固有の主波長ピークを含む)、または多色(すなわち、その発光スペクトルは、たとえば2つなど、いくつかの準単色光を含む)とすることができる。LED10および/またはセンサ20は、電子カード5とのより良好な統合のために、「表面実装型構成要素」(SMC)タイプのものとすることができる。
【００３３】
LEDは、所与のスペクトルの波長、および所与の開口角で光線12を放射するように設計されている。LEDは、所与のパワー範囲において連続したおよび/またはパルス化された方法で発光するように設計され得る。LEDの発光モードおよび発光パワーは、LEDの動作をパイロットするマイクロコントローラによって制御される。
【００３４】
LED10は、それが配置される電子カード5に対して固定され、LED10は、デバイスのスクリーン2に対しても固定される。電子カード5とスクリーン2の内部表面との間の距離eは、わかっており、デバイスを組み立てる間に制御され、スクリーン2の厚さm、ならびにその屈折率もわかっている。処理される肌の領域30上のダイオードの光線12によってカバーされる表面は、したがって、デバイスの基準面と処理領域30との間の距離DISTのみに依存し、そのような基準面は、図2に電子カード5によって表されているが、スクリーン2の内部表面もしくは外部表面、またはLEDに対して固定される任意の他の表面でもよい。したがって、センサ20は、基準面5と、処理される肌の領域30との間の距離DISTを、直接、または導出された方法で測定し、その測定値DISTをマイクロコントローラ3に送信し、マイクロコントローラ3は、この距離DISTに応じて、LED10の発光パワーの制御を適応させる。
【００３５】
図3は、本発明による、デバイスにおいて使用される電子カード5の概略図である。マイクロコントローラ3は、バッテリー6によって電力が供給され、距離センサ20によって測定されるデータを受信する。マイクロコントローラ3はまた、ユーザによって作動されるボタン21に基づいて、オン/オフコマンドおよびプログラミングコマンドを受信する。そのようなボタン21は、機械式または触覚式とすることができる。マイクロコントローラ3は、ユーザがデバイスの動作モードを見ることができるように、スクリーン2上の情報の表示を制御することもできる。図3において、LED10がマイクロコントローラ3によって、たとえば変調された(PWM)信号を有するパルスによって制御されることもわかる。マイクロコントローラ3から各LED10にディスパッチされるコマンドは、発光パワーの少なくとも1つの値を含む。
【００３６】
図4は、本発明による、デバイスのマイクロコントローラによって実施されるプログラムのフローチャートを表す。デバイスが作動され(START)、プログラムがユーザによって選択されると、マイクロコントローラは、距離センサを介して距離読取りデータを回復する。距離DISTが2つのしきい値S1とS2との間にある場合、マイクロコントローラは、測定された距離に依存する所与のパワーでのLEDによる発光を命令する(LED ON)。
【００３７】
距離DISTが第1のしきい値S1よりも小さい、または第2のしきい値S2よりも大きい場合、マイクロコントローラは、LEDによる発光をオフにする(LED OFF)。たとえば、第1のしきい値S1は、15mmで固定され、第2のしきい値S2は、45mmで固定され得、処理は、35mmを超えると効果がないと考えられており、露光は、15mmに達していないと潜在的に有害であると考えられる。デバイスは、デバイスがレディ状態であまりにも長く保持されている、または処理領域から遠すぎるので、少なくとも1つのソースの発光が中断されたことを、感覚の方法でユーザに知らせることができるバイブレータ、および/または表示灯、および/または拡声器を含むことができる。
【００３８】
一方、距離DISTが実際に2つのしきい値S1とS2との間にある場合、マイクロコントローラは、測定された距離に応じて各LEDのパワーを制御する。Pow=F(DIST)。より詳細には、各LEDの発光パワーは、デバイスにおけるLEDの位置(中心または周辺位置)に依存して、および/またはLEDのタイプ(従来、またはパワーLED)に依存して、および/またはその主要な発光波長に依存して、特定の従属法則に従うことができる。したがって、各LEDのパワーは、距離センサによって測定される距離に応じて増減される。
【００３９】
一実施形態(図2に示される)では、距離センサ20は、デバイスの動作を制御するための触覚ボタンを構成することができる。距離センサ20は、スクリーンからの距離eに位置しており、これは、最小のしきい値S1よりも著しく小さい。センサ20のすぐ上に位置するスクリーン2領域は、触覚ボタン21の方にユーザを案内するように、スクリーン上に示される。したがって、ユーザがその指で触覚ボタン領域21に接触する場合、センサ20は、第1のしきい値S1よりも小さい距離DISTを検出し、適切である場合、LEDの発光を中断する。それにもかかわらず、触覚ボタン21との接触の間、センサ20によって測定される距離DISTは、既知の固定距離(e+m)に実質的に等しく、これは次いで、マイクロコントローラ3によってボタン21の押下と解釈される。そのような押下または一連の押下は、デバイスを動作させるためのプログラムを制御するように、マイクロコントローラ3によって解釈され得る。
【００４０】
一実施形態によれば、特に、処理される肌の非平面領域の場合、および/またはユーザが十分に配向を取らずに手でデバイスを持っている場合、LEDごとに正確な距離測定値をマイクロコントローラに提供するように、デバイスに配置され、様々なLEDの間に分散される複数の距離センサが提供され得る。したがって、各距離センサは、所与のLED群の発光パワーを正確に制御するためにマイクロコントローラによって使用される測定値を提供する。
【００４１】
一実施形態では、本発明による光による美容処理のためのデバイスは、2つの異なる波長をそれぞれ発光する少なくとも2つのLED群を備え得る。2つの異なる波長で発光する2つのタイプのLEDが同時の方法で使用されるとき、波長のタイプごとに露光される肌の単位当たりの光放射の正確なパワーを保証することが必要である。本発明によるデバイスは、処理される肌の領域上の制御された光度を確実にするように、各LEDの発光パワーを正確に調整することを可能にする。次いで、各タイプの同じ数のLEDを必ずしも使用することなく、処理される領域上の2つのタイプのLEDの放射の均質性を確実にすることが可能になる。
【００４２】
図5および図6は、光による美容処理のためのデバイスが装置に統合される例示的なアプリケーションを示し、図5は分解図であり、図6は、組み立てられた装置の図である。
【００４３】
図5は、たとえば「表面実装型構成要素」(SMC)タイプのLEDを使用することによって、LED10が電子カード5上に配置され得ることを示す。装置は、スクリーン2が備わっている正面および後面を示すシェルからなる本体1を示す。本体1のシェルは、LED10を担持するカード5、ならびに他の電子構成要素およびバッテリー6を収納することを可能にする。電子カード5は、図2に関して説明した距離DISTを測定するのに適した距離センサ20、ならびに本体1に設けられているインターフェースによってユーザによって起動されるプログラムに従って、装置の動作モードを制御するマイクロコントローラ3も担持する。光のパルス化されたおよび/または連続したおよび/または交互の発光を制御するために、任意のタイプのプログラムが本発明の枠組内で想定され得る。特に、マイクロコントローラは、距離センサ20から受信されるデータに応じて、および各LEDの仕様に従って、各LED10の発光パワーを制御する。
【００４４】
図5および図6の例では、処理される領域が、実質的に、2つのタイプのLEDの放射によって同様の方法でカバーされるままである場合であっても、第1のタイプのLEDは、第2のタイプのLEDに対して2倍よりも多い。したがって、同じ数の各タイプのLEDを使用することなく、コストを最適化することが可能である。たとえば、露光された肌の2.1mW/cm2の強度で590ナノメートルの波長で光線を発する10のLEDによる第1の光放射に肌の領域をさらし、同時に、露光された肌の0.5mW/cm2の強度で870ナノメートルの波長で光線を発する4つのLEDによる第2の光放射に肌の領域をさらすことを予想することができる。処理領域からの距離に応じた各LEDのパワーの特定の制御は、放射ごとに制御された強度で放射のすべての良好な均質性を確実にすることを可能にする。
【００４５】
図7は、光による美容処理のためのデバイスが、取り付け、および取り外しが可能なノズル7を構成する別の例示的なアプリケーションを示す。装置は、ハンドルの形を呈することができ、バッテリーを収納することができる本体1を備える。LEDの動作を制御するためのマイクロコントローラは、本体1またはノズル7に収納され得る。
【００４６】
図8は、光による美容処理のためのデバイスが装置上に配置されるインサート8を構成するさらに別の例示的なアプリケーションを示す。装置は、支持体の形を呈することができ、バッテリーを収納することができる本体1を備える。LEDの動作を制御するためのマイクロコントローラは、本体1または各インサート8に収納され得る。図8では、複数のインサート8が支持体1上に挿入されることがわかる。
【００４７】
本発明は、化粧品組成物の容器(ポット、チューブなど)および上述したような美容処理装置から成るアセンブリにも関する。化粧品組成物は、たとえば疎水性二酸化ケイ素エーロゲル粒子を含む組成物など、油性肌のためのケア製品、および/またはアンチエイジングのケア製品の中から選択され得る。
【００４８】
例
第1の例示的な実装形態によれば、590ナノメートルの10のLEDおよび870ナノメートルの4つのLEDを備えるデバイスが使用される。590ナノメートルのLEDは、120度の開口角を呈し、870ナノメートルのLEDは、140度の開口角を呈する。スクリーンとLEDとの間の距離(図2でeと示される)は0.5mmであり、LEDと処理される肌の領域30との間の距離(図2でDISTと示される)は、実質的にデバイスの中心にあるセンサ20によって連続的に測定される。スクリーンは、1.586の屈折率を呈し、スクリーンの厚さ(図2でmと示される)は1.5mmである。各LEDのパワーは、センサによって測定される距離DISTに連続的に従属する。システムにおける従来の光学研究によって、処理される表面上の安定した均質の包括的なパワーを得るように、測定された距離DISTに関して、各LEDのパワーを従属させるための機能を推論することができる。
【００４９】
本発明によるデバイスのそのような構成は、40mmの距離離れて、約42cm2の肌の領域を、および20mmの距離離れて、約32cm2の肌の領域を、2つの異なるタイプの放射で、均質な方法で処理することができる。
【００５０】
本発明は、図1〜図8に示される特定の実施形態、および具体的な例を参照しながら説明したが、当業者によって他の変形が想定され得、特に、LEDの数およびタイプが変わり得、図5〜図8に記載されているもの以外の構成および寸法が本発明による装置を構成するために想定され得ることを理解されたい。
【符号の説明】
【００５１】
1  本体
2  スクリーン
3  マイクロコントローラ
6  バッテリー
7  ノズル
8  インサート
10  LED
12  光線
15  発光ダイオード
16  発光ダイオード
17  光線
18  光線
20  距離センサ
21  ボタン
30  肌の領域
【図１】
2015536179.tif 000003
【図２】
2015536179.tif 000004
【図３】
2015536179.tif 000005
【図４】
2015536179.tif 000006
【図５】
2015536179.tif 000007
【図６】
2015536179.tif 000008
【図７】
2015536179.tif 000009
【図８】
2015536179.tif 000010
【国際調査報告】
2015536179.tif 000011
2015536179.tif 000012
2015536179.tif 000013